(57)【要約】【課題】　製造が簡単にして、組紐の美麗さを損なうことなく、結び部や取付け部が紐本体部から外れることのない根付紐を提供する。【解決手段】　結び部13及び取付け部15を形成する組紐が環状に連続した細組紐とされ、この環状の細組紐が所定長さとされた本体部用紐の中心を貫通して紐本体部21の両端から環状に突出して各々結び部13及び取付け部15とされ、本体部用紐の両端が糊付けされて本体部用紐の解れが防止されると共に細組紐が本体部用紐に固定された根付紐10とする。【選択図】　　図１
2004003117.tif 000002
【特許請求の範囲】
【請求項１】
　結び部及び取付け部を形成する組紐が環状に連続した細組紐とされ、この環状の細組紐が所定長さとされた本体部用紐の中心を貫通して紐本体部の両端から環状に突出して各々結び部及び取付け部とされ、本体部用紐の両端が糊付けされて本体部用紐の解れを防止すると共に細組紐が本体部用紐に固定されていることを特徴とする根付紐。
【請求項２】
　細組紐の両端を結び合わせた結端部が本体部用紐の端部に位置していることを特徴とする請求項１に記載した根付紐。
【請求項３】
　結び部及び取付け部とする所要太さの組紐を所定長さに切断し、この切断した細い組紐の両端を固結びして環状の細組紐とし、結び部用組紐よりも太い所要太さの組紐を所定長さに切断して本体部用紐とし、環状の細組紐を本体部用紐に貫通させて細組紐を本体部用組紐の両端から環状に突出させて各々結び部及び取付け部とし、左右の突出長さを調整して本体部用紐の両端部を糊付けして細組紐を本体部用紐に固定すると共に本体部用紐の端部が解れないようにすることを特徴とする根付紐の製造方法。
【請求項４】
　本体部用紐の左右に突出する細組紐の突出量を調整するに際しては、細組紐の両端を結んだ結端部を本体部用紐の端部に位置させることを特徴とする請求項３に記載した根付紐の製造方法。
【請求項５】
　細い組紐を所定長さに切断し、切断した細い組紐の両端を結んで結端部を形成する際、環状とする細い組紐の一部を結び目の中を通すようにして結び目を締め上げて結端部とし、この結端部を中心に環状の主環状部とこの主環状部よりも小さな環状部とする第１小環部と第２小環部とを形成し、主環状部を所要太さの組紐を所定の長さに切断した本体部用紐に貫通させ、結端部を本体部用紐の端部に当接させて主環状部の一部を本体部用紐の他端から突出させ、本体部用紐の端部を結端部に被せるようにして本体部用紐の両端を糊付けすることを特徴とする根付紐の製造方法。
【発明の詳細な説明】
【技術分野】
【０００１】
　本発明は、根付やお守り更には小型アクセサリーなどを吊るす装飾性を有する紐である根付紐及びこの根付紐を量産する方法に関するものである。
【背景技術】
【０００２】
　従来から、根付やお守りを吊るす紐として、装飾性の高い組紐が根付紐として使用されていた。
　この根付紐とする組紐は、黄色や赤色、紫色、緑色、青色などの細い色糸を格子状に織り上げるものであり、帯状に平たく織り上げた平打ち紐と、多数の色糸が螺旋状とされて相互に格子状に織り上げられる丸打ち紐とがある。
【０００３】
　そして、この根付紐10は、根付やお守り又は小さな人形などの装飾体を吊るすために、図１０に示すように、細い組紐による結び部13と所要長さの太い組紐とされる紐本体部11及び根付やお守り又は装飾体をこの根付紐10により所要個所に取付けるための細い組紐とされる取付け部15とで構成され、本来は、細く織り上げて環状とする取付け部15と、芯糸などを入れて太くし、色の組み合わせを明瞭に見せる紐本体部11、更に根付等を取付ける結び部13を連続して織り上げることにより根付紐10としていた。
【０００４】
　しかし、高価な象眼細工などの根付を結び部13に取付ける場合は兎も角、近年、安価な装飾体やお守りを取付けるには、生産が容易にして安価に製造することが要求されるようになってきた。
【０００５】
　このため、取付け部15や紐本体部11及び結び部13を連続的に織り上げるのではなく、図１１に示すように、細く織り上げた組紐を所定の長さに切断して結び部用紐23及び取付け部用紐25とし、太く織り上げた組紐を所定の長さに切断して本体部用紐21とし、所定長さに切断された結び部用紐23の両端を本体部用紐21の一方の端部に押し込むようにして水性ボンドなどを用いて糊付けを行い、同様に、取付け部用紐25の両端を本体部用紐21の他端に押し込むようにして水性ボンドなどを用いて糊付けを行い、本体部用紐21の両端に環状とする結び部用紐23と取付け部用紐25とを固定すると共に、本体部用紐21が端部から解けることがないようして本体部用紐21の両端に結び部13と取付け部15とを有する根付紐10としていた。
【０００６】
　尚、結び部用紐23と取付け部用紐25とを本体部用紐21に取付けるに際し、結び部用紐23の端部や取付け部用紐25の端部を本体部用紐21の端部に押し込んで水性ボンドなどを用いて糊付けする場合のみでなく、環状をしたアルミニウムなどの軽金属製の止め具27を用い、結び部用紐23の両端を本体部用紐21の端部に押し付けた状態でこの突合せ部分に止め具27を被せ、止め具27をカシメるように潰して結び部用紐23を本体部用紐21に固定し、同様に取付け部用紐25の両端も本体部用紐21の端部に押し付けた状態で止め具27を被せてこの止め具27をカシメることにより取付け部用紐25を本体部用紐21に固定する場合があった。
【０００７】
　又、軽金属製の止め具27を用いるのではなく、結び部用紐23の端部や取付け部用紐25の端部を本体部用紐21の端部につき合わせて金型内に固定し、押出し成形などにより樹脂製の止め具27を形成して結び部用紐23や取付け部用紐25を本体部用紐21に取付けることもある。
【０００８】
　尚、先行技術として、特許庁ホームページの公開特許公報フロントページ検索において『「根付」アンド「紐」』により検索した結果、携帯電話の装飾紐としてのストラップに関する先行技術（特許文献１）と、香料を詰め替え可能とする根付である装飾品に関する先行技術（特許文献２）が発見されたが、特許文献１の技術は、組糸に合成繊維フィラメントを用いてアンテナ機能を持たせるものであり、特許文献１及び特許文献２の技術は、本件発明とは技術思想が全く異なるものであった。
【特許文献１】特開２００３−１１１６１１
【特許文献２】特開平８−４７４０９
【発明の開示】
【発明が解決しようとする課題】
【０００９】
　結び部用紐や取付け部用紐を合成樹脂製の止め具により本体部用紐に取付ける根付紐は、金型などの設備の準備や保守に手数や時間を要する欠点があり、軽金属製の止め具を用いる場合は、注意深くカシメを行わなければ美観を損ねることがあった。
【００１０】
　又、糊付けにより結び部用紐や取付け部用紐を本体部用紐に取付けた根付紐は、雨などの水に濡れたとき、結び部用紐や取付け部用紐が本体部用紐からはずれ、根付などの装飾体を紛失することがあった。
　本発明は、製造が簡単にして、組紐の美麗さを損なうことがなく、又、結び部や取付け部が紐本体部から外れることのない根付紐を提供するものである。
【課題を解決するための手段】
【００１１】
　本発明は、結び部及び取付け部を形成する組紐が環状に連続した細組紐とされ、この環状の細組紐が所定長さとされた本体部用紐の中心を貫通して紐本体部の両端から環状に突出して各々結び部及び取付け部とされ、本体部用紐の両端が糊付けされて本体部用紐の解れが防止されると共に細組紐が本体部用紐に固定された根付紐とするものである。
【００１２】
　このように、環状とした細組紐を本体部用紐に貫通させて本体部用紐の両端から環状に突出した部分を結び部及び取付け部とする根付紐であるから、結び部と取付け部とが一体のために結び部と取付け部との間で強い張力が加わっても、細組紐が切断されない限り根付や装飾品を落すことが防止できる。
【００１３】
　尚、細組紐の両端を結び合わせた結端部は、本体部用紐の端部に位置させておくものである。
　このように、結端部を本体部用紐の端部に位置させれば、本体部用紐の端部を結端部に被せるようにして隠すことができ、根付紐の美麗さを損ねることを防止できる。
【００１４】
　そして、この根付紐の製造方法は、結び部及び取付け部とする所要太さの組紐を所定長さに切断し、この切断した細い組紐の両端を固結びして環状の細組紐とし、結び部用組紐よりも太い所要太さの組紐を所定長さに切断して本体部用紐とし、環状の細組紐を本体部用紐に貫通させて細組紐の一部を本体部用組紐の両端から環状に突出させ、左右の突出長さを調整して本体部用紐の端部を糊付けして細組紐を本体部用紐に固定すると共に本体部用紐の端部が解れないようにするものである。
【００１５】
　尚、本体部用紐の左右に突出する細組紐の突出量を調整するに際しては、細い組紐の両端を結んだ結端部を本体部用紐の端部に位置させるものである。
　又、細い組紐を所定長さに切断し、切断した細い組紐の両端を結んで結端部を形成する際、環状とする細い組紐の一部を結び目の中を通すようにして結び目を締め上げて結端部とし、この結端部を中心に環状の主環状部とこの主環状部よりも小さな環状部とする第１小環部と第２小環部とを形成し、所要長さに切断した本体部用紐に主環状部を貫通させ、結端部を本体部用紐の端部に当接させて主環状部の一部を本体部用紐の他端から突出させ、本体部用紐の端部を結端部に被せるようにして本体部用紐の両端を糊付けすることもある。
【発明の効果】
【００１６】
　本発明に係る根付紐は、紐本体部を貫通する環状の細組紐の一部を紐本体部の両端から突出させて結び部及び取付け部として結び部と取付け部とを一本の組紐で構成しているため、結び部に取付けられた根付が引っ張られても、結び部や取付け部が紐本体部から外れることが防止でき、製造が容易にして根付などの装飾品を落すことが防止できる根付紐とすることができる。
【発明を実施するための最良の形態】
【００１７】
　本発明は、根付紐の結び部及び取付け部とする所要太さの細い組紐を所定の長さに切断し、この切断した細い組紐の両端を結んで環状の細組紐とし、又、根付紐の紐本体部とする結び部及び取付け部よりも太い所要太さの組紐を所定の長さに切断して本体部用紐とし、この本体部用紐に前記環状の細組紐を貫通させ、本体部用紐の両端から環状に各々細組紐の一部を突出させて本体部用紐の両端を糊付けし、本体部用紐の一端から環状に突出する細組紐を結び部とし、他端から環状に突出する細組紐を取付け部とすることにより、結び部と取付け部とが連続した環状の一本の細組紐で構成される根付紐とするものである。
【実施例】
【００１８】
　本発明の第１の実施例は、図１に示すように、中央部分を太い組紐による紐本体部とし、一端に細い組紐による結び部13を有すると共に他端に細い組紐による取付け部15を有する根付紐10とするものである。
　この結び部13は、その太さが約１mmの組紐であり、突出長さＴ1を約２５mmとして紐本体部11から突出するものであり、紐本体部11はその長さＴ2を約３５mmとする太さが約３mm乃至４mmの組紐であり、取付け部15はその太さが約１mmの組紐であって突出長さＴ3を約３５mmとして、結び部13に根付などの小型の装飾体を吊るすものである。
【００１９】
　そして、この根付紐10は、図２に示す本体部用紐21と環状の細組紐31とを組合わせるものであって、紐本体部11とする太さが３〜４mm程度の組紐を、紐本体部11の長さにあわせた所定の長さである３５mm程度に切断して本体部用紐21とし、太さが１mm程度の組紐は根付紐10の全長の約２倍の長さである所定長さの２００mm程度に切断し、両端を図３に示すように固結びして結端部33とし、図２に示したように環状の細組紐31とするものであり、この環状の細組紐31を図４に示すように本体部用紐21の内部を貫通させるものである。
【００２０】
　尚、この環状の細組紐31を本体部用紐21の内部に貫通させるに際し、細組紐31の結端部33が解けない程度であって結端部33を小さくするように結び目から突出する組紐の端部長さを短くするように切断切除しておき、本体部用紐21にこの環状の細組紐31を貫通させるときは長さが４０mm余りのヘアピン形状をした冶具を用いるものである。
【００２１】
　そして、図４に示したように、結端部33を本体部用紐21の端部に位置させ、本体部用紐21の一端から環状に２５mm程度突出させ、本体部用紐21の他端から環状に３５mm程度突出させるように位置を合わせ、本体部用紐21の端部で細組紐31の結端部33を被うようにしてこの本体部用紐21の端部を水性ボンドにより糊付けして固め、本体部用紐21の他端部も同様に水性ボンドにより糊付けして固め、本体部用紐21が切断端部から解けないようにすると共に、細組紐31を本体部用紐21に固定して結び部13や取付け部15の長さが変化しないようにするものである。
【００２２】
　又、他の実施例は、図５に示すように、結び部13を２つ備えて２個の装飾体を吊るすことができる根付紐10とするものである。
　この実施例では、結び部13や取付け部15とする細い紐を切断するに際し、根付紐10の長さＬに結び部13の長さＴ1を加えた長さの２倍よりも僅かに長い所定の長さに切断して細組紐用の紐とするものである。
【００２３】
　そして、この切断した細い組紐の両端を固結びして結端部33を形成するに際し、図６及び図７に示すように、環状とする細組紐31の一部を結び目の中を通して主環状部35とし、図８に示すように、結び目を締め上げて結端部33としたとき、結び部13の長さＴ1の約２倍の長さの紐で環状とした第１小環部36と第２小環部37とを結端部33の一方に形成し、結端部33を通した主環状部35とする紐の長さは根付紐10の紐本体部11の長さＴ2と取付け部15の長さＴ3とを加えた長さの２倍の長さで結端部33から結端部33に戻る環状とするものである。
【００２４】
　そして、この主環状部35に紐本体部11の長さＴ2に合わせて所定長さＴ2に切断した本体部用紐21を被せるようにして主環状部35を本体部用紐21に貫通させ、図９に示すように、細組紐31の結端部33を本体部用紐21の端部につき合わせて本体部用紐21の端部で結端部33を被い、本体部用紐21の両側端部を各々水性ボンドで糊付けし、本体部用紐21の端部が解れないようにすると共に、細組紐31を本体部用紐21に固定するものである。
【００２５】
　従って、図５に示したように、第１小環部36及び第２小環部37による２つの結び部13を紐本体部11の一端に備え、他端には取付け部15を備えた根付紐10とすることができる。
　尚、この根付紐10は、組紐に限ることなく、袋織として織り上げた織紐や編み紐などの装飾性の高い紐を使用して製造することができる。
【産業上の利用可能性】
【００２６】
　本発明は、太い組紐の内部に環状とした細い組紐を貫通させて環状に連続した結び部と取付け部とを形成する根付紐であるから、製造が容易であり、結び部や取付け部が外れることの無い根付紐とすることができる。
【図面の簡単な説明】
【００２７】
【図１】本発明に係る根付紐の一例を示す図。
【図２】本発明に係る根付紐の本体部用紐と細組紐に分解した状態を示す図。
【図３】本発明に係る根付紐における細組紐の結端部を示す図。
【図４】本発明に係る根付紐の細組紐を本体部用紐に貫通させた状態を示す図。
【図５】本発明に係る根付紐の第２の実施例を示す図。
【図６】本発明に係る根付紐の第２の実施例の細組紐を結ぶ状態を示す図。
【図７】本発明に係る根付紐の第２の実施例の細組紐を結ぶ状態を示す図。
【図８】本発明に係る根付紐の第２の実施例の細組紐を示す図。
【図９】本発明に係る根付紐の第２の実施例の細組紐を本体部用紐に貫通させた状態を示す図。
【図１０】従来の根付紐の一例を示す図。
【図１１】従来の根付紐を分解した状態を示す図。
【図１２】従来の根付紐の他の例を示す図。
【符号の説明】
【００２８】
　１０　根付紐
　１１　紐本体部　　　　　　　　　　　　　１３　結び部
　１５　取付け部
　２１　本体部用紐　　　　　　　　　　　　２３　結び部用紐
　２５　取付け部用紐
　２７　止め具
　３１　細組紐　　　　　　　　　　　　　　３３　結端部
　３５　主環状部
　３６　第１小環部　　　　　　　　　　　　３７　第２小環部
【図１】
2004003117.tif 000003
【図２】
2004003117.tif 000004
【図３】
2004003117.tif 000005
【図４】
2004003117.tif 000006
【図５】
2004003117.tif 000007
【図６】
2004003117.tif 000008
【図７】
2004003117.tif 000009
【図８】
2004003117.tif 000010
【図９】
2004003117.tif 000011
【図１０】
2004003117.tif 000012
【図１１】
2004003117.tif 000013
【図１２】
2004003117.tif 000014